(57)【要約】【課題】照明装置の照明輝度を調節する際に利用者が照明スイッチの操作を行うなどの不便さを解消すると共に、利用者が照明輝度を意識しなくても照明輝度を適切に調節することができる無線通信照明システムを提供すること。【解決手段】照明装置８を制御する照明制御装置２０と、照明装置８の照明輝度を制御するための無線信号を照明制御装置２０に送信する無線通信装置１０とを備えた照明システムであって、照明制御装置２０は、無線通信装置１０から送信される無線信号を受信し、受信された無線信号の信号強度に応じて照明装置８の照明輝度を調節するよう構成する。【選択図】図１
2009017267.tif 000002
【特許請求の範囲】
【請求項１】
照明装置を制御する照明制御装置と、
前記照明装置を制御するための無線信号を前記照明制御装置に送信する無線通信装置とを備えた照明システムであって、
前記照明制御装置は、
前記無線通信装置から送信される前記無線信号を受信する受信手段と、
前記受信手段によって受信された前記無線信号の信号強度に応じて前記照明装置の照明輝度を調節する照明輝度調節手段とを有することを特徴とする照明システム。
【請求項２】
予め決められた周期に従って前記無線信号を前記照明制御装置に送信する送信制御手段を備えたことを特徴とする請求項１に記載の照明システム。
【請求項３】
前記無線通信装置は、
１つ以上の前記照明制御装置のアドレスを登録するメモリと、
前記メモリに登録されている前記照明制御装置のアドレスを、前記無線信号を前記照明制御装置に送信する宛先のアドレスとして選択するアドレス選択手段とを備え、
前記送信制御手段は、前記アドレス選択手段によって選択されたアドレスの前記照明制御装置に対し前記無線信号を送信することを特徴とする請求項２に記載の照明システム。
【請求項４】
前記照明制御装置は、前記無線信号が前記受信手段によって受信されてから次の前記無線信号が受信されるまでの持続時間が一定時間を越えていることを検出する一定時間検出手段を備え、
前記持続時間が前記一定時間を越えていることを前記一定時間検出手段が検出したとき、前記照明輝度調節手段は、前記照明装置の照明を消灯することを特徴とする請求項２または請求項３に記載の照明システム。
【請求項５】
前記送信制御手段は、前記一定時間を表す時間情報を前記無線信号に含めて前記照明制御装置に送信し、
前記一定時間検出手段は、前記受信手段によって受信された前記無線信号に含まれる時間情報の時間を前記一定時間とし、前記持続時間が前記一定時間を越えていることを検出することを特徴とする請求項４に記載の照明システム。
【請求項６】
前記送信制御手段は、前記照明装置の照明輝度を調節するための輝度調節情報を前記無線信号に含めて前記照明制御装置に送信し、
前記照明輝度調節手段は、前記受信手段によって受信された前記無線信号に含まれる輝度調節情報に基づいて前記照明装置の照明輝度を調節することを特徴とする請求項２から請求項５までの何れかに記載の照明システム。
【請求項７】
前記無線通信装置は、
前記周期を表す周期情報が入力される入力手段を備え、
前記送信制御手段は、前記入力手段に入力された周期情報の周期に従って前記無線信号を前記照明制御装置に送信することを特徴とする請求項２に記載の照明システム。
【請求項８】
照明装置を制御する照明制御装置であって、
前記照明装置の照明輝度を制御するための無線信号を送信する無線通信装置から、前記無線信号を受信する受信手段と、
前記受信手段によって受信された前記無線信号の信号強度に応じて前記照明装置の照明輝度を調節する照明輝度調節手段とを有することを特徴とする照明制御装置。
【請求項９】
無線信号の信号強度に応じて照明装置の照明輝度を調節する照明制御装置に、前記照明装置の照明輝度を制御するための前記無線信号を予め決められた周期に従って送信することが可能な送信制御手段を備えたことを特徴とする無線通信装置。
【発明の詳細な説明】
【技術分野】
【０００１】
本発明は、無線通信を用いて住宅や会議室などに設置されている照明装置を制御する照明システムに関する。
【背景技術】
【０００２】
近年の無線通信技術の発展に伴い、家電製品やモバイル製品などの様々な機器が無線化されてきている。無線通信技術を用いれば、有線のケーブルの配線などネットワークを構築する際の手間が負担になるなどの問題がなくなるため、無線通信技術が様々な機器に実装されてきている。
【０００３】
ところで、一般的な照明システムでは、住宅や会議室などの内部を照明する照明装置と、この照明装置を制御する照明スイッチとが有線で接続されており、壁などに設置されている照明スイッチのＯＮ／ＯＦＦなどの操作に応じて、照明装置の照明の点灯、消灯、または照明輝度を調節するものが知られている。また、住宅内においては、照明装置からぶら下げられている紐を利用者が１回以上の回数で引っ張ることで、照明スイッチのＯＮ／ＯＦＦや照明輝度を調節する方法がある。しかしながら、この方法では、照明スイッチがある場所まで利用者が移動しなくてはならないという負担が生じてしまうため、利用者の利便性が悪くなっている。
【０００４】
従来では、利便性を良くするための手段として、照明スイッチとして赤外線リモコンを使用することで、照明装置の照明の点灯、消灯、または輝度の調節を行う方法が、特に家庭内の照明装置において普及しているが、利用者が、照明装置を制御したい場合には照明装置のある部屋で赤外線リモコンを意識的に操作する必要がある。
【０００５】
また、人を検知する人感センサを照明装置に取り付けて、人感センサの検知範囲内で人を検知した場合、照明装置の照明が点灯され、人を検知しなくなると照明が消灯される照明システムも普及している。ただし、人感センサでは、照明の点灯、消灯だけの操作を自動で行い、照明輝度の調節ができないのと、利用者がデスクワークの最中など人に動きが無い場合、照明が自動で消灯してしまう問題がある。
【０００６】
また、従来の照明システムでは、利用者の動きが無くても、照明の制御を目的とする特別なＩＤカードを利用者が携帯することで、照明装置の照明の点灯、消灯、もしくは照明輝度の調節を行うものが知られている（例えば、特許文献１参照）。特許文献１に記載の照明システムは、照明装置がＩＤカードを探索するための探索信号を一定周期で送信し、ＩＤカードが探索信号に対する応答の探索返信信号を返信すると、照明装置が、探索返信信号に設定されたＩＤと自己が記憶しているＩＤとを比較し、一致する場合には照明の点灯を制御する。
【特許文献１】特開２００５−２５９４３０号公報
【発明の開示】
【発明が解決しようとする課題】
【０００７】
上述した従来の照明システムでは、利用者が照明スイッチの操作を行う必要があったり、利用者の動きがないと照明を消灯したり、特別なＩＤカードを利用者が常に携帯しないと照明システムが動作しないといった問題がある。
【０００８】
そこで、本発明は、照明装置の照明輝度を調節する際に利用者が照明スイッチの操作を行うなどの不便さを解消し、特別なＩＤカードなどを常に携帯することなく、利用者が照明輝度を意識しなくても照明輝度を適切に調節することができる無線通信照明システム、照明制御装置、および無線通信装置を提供することを目的としている。
【課題を解決するための手段】
【０００９】
本発明の照明システムは、照明装置を制御する照明制御装置と、前記照明装置の照明輝度を制御するための無線信号を前記照明制御装置に送信する無線通信装置とを備えた照明システムであって、前記照明制御装置は、前記無線通信装置から送信される前記無線信号を受信する受信手段と、前記受信手段によって受信された前記無線信号の信号強度に応じて前記照明装置の照明輝度を調節する照明輝度調節手段とを有する構成を有している。
この構成により、照明制御装置が、無線通信装置から送信された無線信号の信号強度に応じて照明装置の照明輝度を調節するため、照明装置の照明輝度を調節する際に利用者が照明スイッチの操作を行うなどの不便さを解消すると共に、利用者が照明輝度を意識しなくても照明輝度を適切に調節することができる。
【００１０】
また、本発明の照明システムは、予め決められた周期に従って前記無線信号を前記照明制御装置に送信する送信制御手段を備えた構成を有している。
この構成により、予め決められた周期に従って無線信号を照明制御装置に送信するため、照明輝度の調節を維持することができる。
【００１１】
また、本発明の照明システムは、前記無線通信装置が、１つ以上の前記照明制御装置のアドレスを登録するメモリと、前記メモリに登録されている前記照明制御装置のアドレスを、前記無線信号を前記照明制御装置に送信する宛先のアドレスとして選択するアドレス選択手段とを備え、前記送信制御手段は、前記アドレス選択手段によって選択されたアドレスの前記照明制御装置に対し前記無線信号を送信する構成を有している。
この構成により、選択されたアドレスに対し前記無線信号を送信するため、１つ以上の照明制御装置から利用者が制御したい照明制御装置を選択することができる。
【００１２】
また、本発明の照明システムは、前記照明制御装置が、前記無線信号が前記受信手段によって受信されてから次の前記無線信号が受信されるまでの持続時間が一定時間を越えていることを検出する一定時間検出手段を備え、前記持続時間が前記一定時間を越えていることを前記一定時間検出手段が検出したとき、前記照明輝度調節手段は、前記照明装置の照明を消灯する構成を有している。
この構成により、持続時間が一定時間を越えていることを検出したとき、照明装置の照明を消灯するため、無線信号の届かない照明制御装置に対する照明装置の照明を自動的に消灯することで、省エネルギー化を図ることができる。
【００１３】
また、本発明の照明システムは、前記送信制御手段が、前記一定時間を表す時間情報を前記無線信号に含めて前記照明制御装置に送信し、前記一定時間検出手段は、前記受信手段によって受信された前記無線信号に含まれる時間情報の時間を前記一定時間とし、前記持続時間が前記一定時間を越えていることを検出する構成を有している。
この構成により、無線通信装置が指定した時間を一定時間とすることで、無線通信装置を利用する利用者が持続時間の限度を指定することができる。
【００１４】
また、本発明の照明システムは、前記送信制御手段は、前記照明装置の照明輝度を調節するための輝度調節情報を前記無線信号に含めて前記照明制御装置に送信し、前記照明輝度調節手段は、前記受信手段によって受信された前記無線信号に含まれる輝度調節情報に基づいて前記照明装置の照明輝度を調節する構成を有している。
この構成により、輝度調節情報に基づいて照明装置の照明輝度を調節するため、自動で照明装置の照明輝度を調節したくない場合に、照明装置の照明輝度を調節することができる。
【００１５】
本発明の照明システムは、前記無線通信装置が、前記周期を表す周期情報が入力される入力手段を備え、前記送信制御手段は、前記入力手段に入力された周期情報の周期に従って前記無線信号を前記照明制御装置に送信する構成を有している。
この構成により、予め決められた周期を利用者が都合のよい周期に設定することができる。
【発明の効果】
【００１６】
以上のように本発明は、照明装置の照明輝度を調節する際に利用者が照明スイッチの操作を行うなどの不便さを解消すると共に、利用者が照明輝度を意識しなくても照明輝度を適切に調節することができる照明システム、照明制御装置、および無線通信装置を提供するものである。
【発明を実施するための最良の形態】
【００１７】
以下、本発明の実施の形態について、図面を参照して説明する。
【００１８】
図１は、本発明の実施の形態に係る照明システムの構成図の一例である。図１に示した照明システムは、電灯をもつ照明装置８の照明の点灯、消灯、または照明装置８の照明輝度を調節する複数の照明制御装置２０と、パソコン９に接続された無線通信装置１０とを備えている。無線通信装置１０と照明制御装置２０とが無線により通信を行うが、本発明の実施の形態では、Ｗｉｒｅｌｅｓｓ−ＵＳＢ（Universal Serial Bus）に準拠して通信するものとする。図１では、照明装置８と照明制御装置２０とのセットを３つ図示しているが、本発明では、３セットに限定されず、１セット以上があればよい。
【００１９】
詳細には、パソコン９には、ＵＳＢインターフェイスが備えられており、ＵＳＢインターフェイスに無線通信装置１０が接続され、無線通信装置１０は、Ｗｉｒｅｌｅｓｓ−ＵＳＢに対応しており、複数の照明制御装置２０との無線通信を行うようになっている。
【００２０】
本発明の実施の形態では、無線通信装置１０から照明制御装置２０に送信される無線信号の信号強度の強弱により、照明制御装置２０が照明装置８の照明輝度を自動的に調節するようになっている。
【００２１】
図２は、本発明の実施の形態に係る無線通信装置のハードウェア構成を表すブロック図である。無線通信装置１０は、外部接続インタフェース１１、ＤＭＡ制御ブロック１２、内部メモリ１３、ＭＡＣブロック１４、ＰＨＹブロック１５、高周波信号制御ブロック１６、およびアンテナ１７によって構成されている。無線通信装置１０は、ホスト・ワイヤ・アダプタ（ＨＷＡ）側であり、ユーザーが使用するパソコン９に接続される。また、各ブロックは電子回路等で構成される。
【００２２】
外部接続インタフェース１１は、パソコン９との間でデータを送受信するようになっている。外部接続インタフェース１１は、ＵＳＢ２．０に準拠したインタフェースやＰＣＩ（Peripheral Component Interconnect）に準拠したインタフェースでもよい。
【００２３】
ＤＭＡ制御ブロック１２は、外部接続インタフェース１１を介して入力されたデータを内部メモリ１３やＭＡＣブロック１４にＤＭＡ転送するようになっている。本発明の実施の形態では、外部接続インタフェース１１を介して入力されたデータとしては、照明制御装置２０のＭＡＣアドレス（Media Access Control Address）や照明装置８の制御に関する照明制御モードなどの情報である。本発明の実施の形態では、本発明の入力手段が、外部接続インタフェース１１およびＤＭＡ制御ブロック１２で構成されているものとする。
【００２４】
照明制御モードには、自動で照明装置８の輝度を調節する自動調節モード、および、利用者が制御したい照明装置８の照明輝度を調節するための輝度調節情報に基づいて照明装置８の照明輝度を調節するまたは消灯する利用者調節モードがある。
【００２５】
内部メモリ１３は、ＤＭＡ制御ブロック１２から転送されたデータを記憶するようになっている。また、内部メモリ１３には、上述したように、照明制御装置２０のＭＡＣアドレス、照明制御モード、および輝度調節情報などの情報が記憶されている。
【００２６】
ＭＡＣブロック１４は、ＤＭＡ制御ブロック１２から転送されたデータをＷｉｒｅｌｅｓｓ−ＵＳＢに準拠したデータ形式であるフレームに変換し、変換したフレームの送信を制御するようになっている。また、ＭＡＣブロック１４は、ビーコン信号となるビーコンフレームを生成し、生成したビーコンフレームの送信を制御するようになっている。
【００２７】
ビーコンフレームとは、無線接続を管理するためのものであって、無線通信規格で規定されており、周期的に送信されるフレームである。本発明の実施の形態では、本発明の送信制御手段が、ＭＡＣブロック１４で構成されているものとする。
【００２８】
照明制御モードとして自動調節モードが設定されている場合、ＭＡＣブロック１４は、内部メモリ１３に記憶されているＭＡＣアドレスの宛先にビーコンフレームを送信するようになっている。照明制御モードとして利用者調節モードが設定されている場合、ＭＡＣブロック１４は、利用者が制御したい照明装置８のＭＡＣアドレスの宛先に、輝度調節情報を含むビーコンフレームを送信するようになっている。
【００２９】
また、内部メモリ１３には、ビーコンフレームを周期的に送信する時間間隔を表す周期情報が記憶されており、ＭＡＣブロック１４は、内部メモリ１３に記憶されている周期情報に従って周期的にビーコンフレームを送信する。
【００３０】
無線通信装置１０が周期的にビーコンフレームを送信する場合、照明制御装置２０がビーコンフレームを受信してから次のビーコンフレームが受信されるまでの持続時間が一定時間を越えていることを検出するための検出時間情報が内部メモリ１３に登録されており、検出時間情報がビーコンフレームに含まれる。なお、最初に送信するビーコンフレームにだけ、検出時間情報が含まれるようにしてもよい。
【００３１】
検出時間情報が含まれたビーコンフレームを受信した照明制御装置２０は、検出時間情報を記憶するようになっている。
【００３２】
ＭＡＣブロック１４がビーコンフレームを送信する際の宛先を選択する方法としては、制御対象とするＭＡＣアドレスのリストを内部メモリ１３に予め用意しておき、このリストに従ってＭＡＣアドレスを選択するようになっている。なお、これに限らず、内部メモリ１３に記憶されている全てのＭＡＣアドレスを選択してもよい。本発明の実施の形態では、本発明のアドレス選択手段が、ＭＡＣブロック１４で構成されているものとする。
【００３３】
また、本発明の実施の形態に係る照明システムは、Ｗｉｒｅｌｅｓｓ−ＵＳＢを使用しており、最大１２７個の機器と通信することができるため、最大１２７個の機器に割当てられたＭＡＣアドレスが内部メモリ１３に登録することもできる。
【００３４】
ＰＨＹブロック１５は、ＭＡＣブロック１４から出力されたフレームを変調し、変調した信号を高周波（ＲＦ）信号制御ブロック１６に出力し、高周波信号制御ブロック１６は、ＰＨＹブロック１５から出力された信号を、アンテナ１７を介して送信するようになっている。
【００３５】
なお、パソコン９がスクリーンセーバーを起動しているときなど、パソコン９がパワーセーブモードになっているときでも、無線通信装置１０が照明制御装置２０にビーコンフレームを送信しており、無線通信装置１０と照明制御装置２０との無線通信は行われる。
【００３６】
図３は、本発明の実施の形態に係る照明制御装置のハードウェア構成を表すブロック図である。照明制御装置２０は、外部接続インタフェース２１、高周波信号制御ブロック２２、ＰＨＹブロック２３、ＭＡＣブロック２４、内部メモリ２５、照明輝度調節ブロック２６、およびタイマーブロック２７によって構成されている。照明制御装置２０は、デバイス・ワイヤ・アダプタ（ＤＷＡ）側であり、照明装置８に接続される。また、各ブロックは電子回路等で構成される。
【００３７】
照明制御装置２０は、ビーコンフレームを受信し、受信したビーコンフレームの情報に基づき、照明装置８の電源をＯＮ／ＯＦＦする機能と、照明装置８の照明輝度を調節する機能を有する。
【００３８】
外部接続インタフェース２１は、照明装置８との間でデータを送受信するようになっている。外部接続インタフェース２１は、ＵＳＢ２．０に準拠したインタフェースやＰＣＩに準拠したインタフェースでもよい。
【００３９】
高周波信号制御ブロック２２は、アンテナ２９を介して受信された無線信号をベースバンド周波数の信号に変換してＰＨＹブロック２３に出力し、ＰＨＹブロック２３は、出力された信号を復調して得られたフレームをＭＡＣブロック２４に出力する。本発明の実施の形態では、本発明の受信手段が、アンテナ２９、高周波信号制御ブロック２２、ＰＨＹブロック２３、およびＭＡＣブロック２４で構成されているものとする。
【００４０】
ＭＡＣブロック２４は、ビーコンフレームがＰＨＹブロック２３から出力されたとき、ビーコンフレームに関する解析を行い、解析結果として得られるビーコンフレームの信号強度を表す信号強度情報を内部メモリ２５に出力すると共に、信号強度情報を照明輝度調節ブロック２６に出力するようになっている。
【００４１】
さらに、ＭＡＣブロック２４は、ビーコンフレームを受信した旨をタイマーブロック２７に通知すると共に、ビーコンフレームに検出時間情報が含まれていれば検出時間情報をタイマーブロック２７に出力するようになっている。また、ＭＡＣブロック２４は、ビーコンフレームに輝度調節情報が含まれていれば輝度調節情報を照明輝度調節ブロック２６に出力するようになっている。
【００４２】
内部メモリ２５は、ＭＡＣブロック２４から出力された信号強度情報や検出時間情報などを記憶するようになっている。
【００４３】
ビーコンフレームが受信される毎にＭＡＣブロック２４から出力された信号強度情報が照明輝度調節ブロック２６に入力され、照明輝度調節ブロック２６は、照明装置８の照明輝度を調節するようになっている。また、照明輝度調節ブロック２６は、輝度調節情報がＭＡＣブロック２４から出力されたとき、この輝度調節情報に基づいて照明装置８の照明輝度を調節するようになっている。本発明の実施の形態では、本発明の照明輝度調節手段が、照明輝度調節ブロック２６で構成されているものとする。
【００４４】
例えば、信号強度の値と照明装置８に供給する電源の電圧レベルの値とが対応関係を有しており、照明輝度調節ブロック２６は、ＭＡＣブロック２４から出力された信号強度情報が入力された場合、外部接続インタフェース２１を介して、照明装置８に供給する電源の電圧が信号強度と対応する電圧レベルになるよう調節するようになっている。
【００４５】
タイマーブロック２７は、ＭＡＣブロック２４から出力された検出時間情報に設定された時間の経過を検出するようになっている。本発明の実施の形態では、本発明の一定時間検出手段が、タイマーブロック２７で構成されているものとする。
【００４６】
例えば、ダウンカウンタ方式で検出時間情報の時間を計時する場合、ビーコンフレームを受信した旨がタイマーブロック２７に通知されると、タイマーブロック２７は、検出時間情報に設定された時間をカウンタ値に設定する。また、タイマーブロック２７は、単位時間毎に起動しており、起動した場合には単位時間分の値でカウンタ値をカウントダウンし、カウンタ値が０になると、照明輝度調節ブロック２６に割り込み信号を出力し、照明輝度調節ブロック２６は、外部接続インタフェース２１を介して照明装置８に供給する電源の電圧レベルを０にすることで照明装置８を消灯させる。
【００４７】
また、タイマーブロック２７のカウンタ値が０になる前に、ビーコンフレームを受信した旨がタイマーブロック２７に通知されると、タイマーブロック２７は、ビーコンフレームに含まれる検出時間情報に設定された時間をカウンタ値に再設定し、再度カウントダウンし直す。
【００４８】
照明装置８には、外部スイッチ７が設置されており、外部スイッチ７をＯＮにすると、照明装置８に電源が供給され、外部スイッチ７をＯＦＦにすると、電源の供給が停止される。無線通信装置１０によって送信されるビーコンフレームが届かない範囲に照明制御装置２０がある場合、外部スイッチ７をＯＮにしていれば照明装置８が点灯されたままとなる。また、利用者が外部スイッチ７で照明装置８の照明輝度を調節できるようにしてもよい。
【００４９】
以上のように構成された無線通信装置１０および照明制御装置２０の動作について図面を用いて説明する。図４は、無線通信装置１０および照明制御装置２０の動作を示すフローチャートである。
【００５０】
図４（Ａ）は、無線通信装置１０の動作を示すフローチャートである。
【００５１】
まず、利用者が制御したい照明制御装置２０のＭＡＣアドレスが外部接続インタフェース１１を介して入力され、内部メモリ１３に登録される（ステップＳ１）。また、照明制御モードとして自動調節モードが利用者により選択され、自動調節モードにする情報が外部接続インタフェース１１を介して入力され、内部メモリ１３に登録される（ステップＳ２）。
【００５２】
次に、ＭＡＣブロック１４は、制御対象となる照明制御装置２０のＭＡＣアドレスおよび検出時間情報を含むビーコンフレームを照明制御装置２０に送信する（ステップＳ３）。ビーコンフレームの送信周期の時間が経過した後（ステップＳ４）、ステップＳ３が再度行われる。
【００５３】
図４（Ｂ）は、照明制御装置２０のビーコンフレーム受信時の動作を示すフローチャートである。以下の説明では、照明装置８の照明が点灯しているものとする。
【００５４】
ＰＨＹブロック２３が無線通信装置１０から送信されたビーコンフレームを受信した場合（ステップＳ１１）、ＭＡＣブロック２４は、受信されたビーコンフレームを解析して信号強度情報を取得する（ステップＳ１２）。
【００５５】
次に、照明輝度調節ブロック２６は、信号強度に応じて照明装置８の照明輝度を調節し（ステップＳ１３）、タイマーブロック２７は、ビーコンフレームに含まれる検出時間情報の時間をカウンタ値に設定する（ステップＳ１４）。
【００５６】
図４（Ｃ）は、照明制御装置２０の単位時間毎の動作を示すフローチャートである。
【００５７】
まず、タイマーブロック２７が単位時間毎に起動され、タイマーブロック２７は、カウンタ値が０であるか否か判定する（ステップＳ２１）。カウンタ値が０であった場合、タイマーブロック２７は、照明輝度調節ブロック２６に割り込み信号を出力し、照明輝度調節ブロック２６は、照明装置８の照明を消灯させる（ステップＳ２２）。カウンタ値が０でない場合、タイマーブロック２７は、単位時間分の値でカウンタ値をカウントダウンする（ステップＳ２３）。
【００５８】
以上説明したように、本発明の実施の形態に係る照明システムは、照明装置８に取り付けられた照明制御装置２０は、無線通信装置１０から送信されるビーコンフレームの信号強度の大きさにより照明輝度を調整するため、無線通信装置１０から照明装置８が遠ざかる程ビーコンフレームの信号強度が小さくなって、照明装置８の照明輝度が小さくなる、もしくは消灯し、照明装置８が無線通信装置１０に近い程ビーコンフレームの信号強度が大きくなって、照明装置８の照明輝度が大きくなる。従って、照明装置８の照明輝度を調節する際に利用者が照明スイッチの操作を行うなどの不便さを解消すると共に、利用者が照明輝度を意識しなくても照明輝度を適切に調節することができる。
【００５９】
退室時や就寝時などにおいてパソコン９をシャットダウンする場合には、無線通信装置１０に電源が供給されなくなり、無線通信装置１０がビーコンフレームを送信できなくなるため、照明制御装置２０がビーコンフレームを受信してから次のビーコンフレームが受信されるまでの持続時間が一定時間を越えてしまい、照明装置８の照明が消灯する。ここで、パソコン９をシャットダウンする場合で照明装置８の照明を点灯させたい場合、タイマーブロック２７の動作を停止させることで、照明制御装置２０は、照明装置８の照明を点灯したままの状態にするように構成することもできる。
【００６０】
パソコン９をシャットダウンした後にしばらくの間だけ照明装置８の照明を点灯しておきたい場合には、パソコン９をシャットダウンする際に、利用者が、内部メモリ１３に登録されている検出時間情報を、照明装置８の照明を点灯しておきたい時間になるよう変更すればよい。この場合、変更後の検出時間情報を含むビーコンフレームが、無線通信装置１０によって照明制御装置２０に送信され、照明制御装置２０は、ビーコンフレームを受信し、検出時間情報に設定された変更後の時間の経過を検出するようになる。パソコン９がシャットダウンされた後、ビーコンフレームが照明制御装置２０に送信されなくなるため、照明制御装置２０は、変更後の時間が経過したときに照明装置８の照明を消灯する。
【００６１】
また、無線通信装置１０で照明装置８の照明輝度を１０段階など段階的に制御できるよう、照明装置８の照明輝度を調節するための輝度調節情報をビーコンフレームに含め、照明制御装置２０は、輝度調節情報に基づいて照明装置８の照明輝度を調節できるようにしてもよい。
【００６２】
また、本発明の実施の形態では、照明装置８の照明輝度を調節する無線信号として、ビーコンフレームを使用しているが、ビーコンフレーム以外の無線信号を使用してもよい。
【００６３】
本発明の実施の形態に係る照明システムでは、Ｗｉｒｅｌｅｓｓ−ＵＳＢが使用されていたが、Ｗｉｒｅｌｅｓｓ−ＵＳＢに替えてＩＥＥＥ８０２．１１ａ／ｂ／ｇ  のようなＷｉｒｅｌｅｓｓ−ＬＡＮでも適用できる。なお、照明システムとしてＷｉｒｅｌｅｓｓ−ＵＳＢを用いれば、Ｗｉｒｅｌｅｓｓ−ＬＡＮに比べて無線信号強度が小さいので、無線通信装置１０を中心として比較的狭い範囲の通信になり、無線通信装置１０から遠くにある無線通信機器に影響を与えることはない。Ｗｉｒｅｌｅｓｓ−ＬＡＮを用いれば、Ｗｉｒｅｌｅｓｓ−ＵＳＢの信号強度に比べてはるかに大きいので、周辺の無線通信機器などに影響を与えないように信号強度の調整を行うか、もしくは、影響を与えないような場所で照明システムを利用する必要がある。
【図面の簡単な説明】
【００６４】
【図１】本発明の実施の形態に係る照明システムの構成図
【図２】本発明の実施の形態に係る無線通信装置のハードウェア構成を表すブロック図
【図３】本発明の実施の形態に係る照明制御装置のハードウェア構成を表すブロック図
【図４】本発明の実施の形態に係る無線通信装置および照明制御装置の動作を示すフローチャート
【符号の説明】
【００６５】
７  外部スイッチ
８  照明装置
９  パソコン
１０  無線通信装置
１１、２１  外部接続インタフェース
１２  ＤＭＡ制御ブロック
１３、２５  内部メモリ
１４、２４  ＭＡＣブロック
１５、２３  ＰＨＹブロック
１６、２２  高周波信号制御ブロック
１７、２９  アンテナ
２０  照明制御装置
２６  照明輝度調節ブロック
２７  タイマーブロック
【図２】
2009017267.tif 000003
【図３】
2009017267.tif 000004
【図４】
2009017267.tif 000005
【図１】
2009017267.tif 000006